(57)【特許請求の範囲】
【請求項１】
植物育成容器の使用方法であって、
前記植物育成容器は、
底部と、前記底部を水平方向に延びる面上に載置した時に前記底部の外周部から上方に向かって延びる側壁部とを有し、前記底部と前記側壁部とで囲まれる収容部に用土を収容する容器本体であって、当該容器本体からの排水を受けるための受け皿とは異なる容器本体と、
保温、保湿、又は防虫目的のカバー用のフレームと、
前記側壁部の上端部から前記水平方向の外側に突出する上側突出部と、
前記側壁部の外周面から前記水平方向の外側に突出する下側突出部と、
前記上側突出部に設けられると共に該上側突出部を上下方向に貫通する複数の孔であって、前記フレームの端側が上下方向に挿通する複数の孔と、
前記各孔を挿通した各フレームの端をそれぞれ前記下側突出部に固定する固定手段とを備え、
前記下側突出部は、前記側壁部の高さ方向の中央又は中央より下側の前記側壁部の外周面から前記水平方向の外側に向かって突出すると共に、前記側壁部の前記外周面の全周又は略全周に亘って設けられており、
この方法は、
前記収容部に植物育成に用いる用土を収容する用土収容ステップと、
前記各孔を挿通した前記各フレームの端をそれぞれ前記下側突出部に前記固定手段により固定するフレーム固定ステップと、
下方に開口する形状のカバーを前記フレームが固定手段により固定された容器本体に上方から被せるカバー装着ステップと、を有し、
前記カバー装着ステップでは、前記カバーによって前記下側突出部の外周の少なくとも上端側が全周に亘って覆われ、これにより前記下側突出部の上方且つ前記上側突出部の下方において前記カバーと前記側壁部との間に空気層が形成されるように、前記カバーを前記容器本体に被せる植物育成容器の使用方法。
【請求項２】
底部と、前記底部を水平方向に延びる面上に載置した時に前記底部の外周部から上方に向かって延びる側壁部とを有し、前記底部と前記側壁部とで囲まれる収容部に用土を収容する容器本体であって、当該容器本体からの排水を受けるための受け皿とは異なる容器本体を有する植物育成容器であって、
前記側壁部の上端部から前記水平方向の外側に突出する上側突出部と、
前記側壁部の外周面から前記水平方向の外側に突出する下側突出部と、
前記上側突出部に設けられると共に該上側突出部を上下方向に貫通する複数の孔であって、保温カバー、保湿カバー、又は防虫カバーのフレームが上下方向に挿通する複数の孔と、
前記各孔を挿通した各フレームの端をそれぞれ前記下側突出部に固定する固定手段とを備え、
前記下側突出部は、前記側壁部の高さ方向の中央又は中央より下側の前記側壁部の外周面から前記水平方向の外側に向かって突出すると共に、前記側壁部の前記外周面の全周に亘って連続的に又は間欠的に設けられている植物育成容器。
【請求項３】
底部と、前記底部を水平方向に延びる面上に載置した時に前記底部の外周部から上方に向かって延びる側壁部とを有し、前記底部と前記側壁部とで囲まれる収容部に用土を収容する容器本体であって、当該容器本体からの排水を受けるための受け皿とは異なる容器本体と、
保温カバー、保湿カバー、又は防虫カバー用のフレームと、
前記側壁部の上端部から前記水平方向の外側に突出する上側突出部と、
前記側壁部の外周面から前記水平方向の外側に突出する下側突出部と、
前記上側突出部に設けられると共に該上側突出部を上下方向に貫通する複数の孔であって、前記フレームの端側が上下方向に挿通する複数の孔と、
前記各孔を挿通した各フレームの端をそれぞれ前記下側突出部に固定する固定手段とを備え、
前記下側突出部は、前記側壁部の高さ方向の中央又は中央より下側の前記側壁部の外周面から前記水平方向の外側に向かって突出すると共に、前記側壁部の前記外周面の全周に亘って連続的に又は間欠的に設けられている植物育成容器。
【請求項４】
底部と、前記底部を水平方向に延びる面上に載置した時に前記底部の外周部から上方に向かって延びる４つの側面壁を有する側壁部とを備え、前記底部と前記側壁部とで囲まれる収容部に用土を収容する平面視略長方形の容器本体であって、当該容器本体からの排水を受けるための受け皿とは異なる容器本体と、
前記４つの側面壁のうち前記長方形の長辺に対応する側壁部の側面壁の上端部から前記水平方向の外側に突出する上側突出部と、
前記長方形の長辺に対応する側壁部の側面壁から前記水平方向の外側に突出する下側突出部と、
前記上側突出部に設けられると共に該上側突出部を上下方向に貫通する複数の孔であって、保温カバー、保湿カバー、又は防虫カバーのフレームが上下方向に挿通する複数の孔と、
前記各孔を挿通した各フレームの端をそれぞれ前記下側突出部に固定する固定手段とを備え、
前記下側突出部は、前記長辺に対応する側面壁の高さ方向の中央又は中央より下側の前記側面壁から前記水平方向の外側に向かって突出している植物育成容器。
【請求項５】
前記固定手段は、前記フレームの端の外周面に形成された雄ねじと螺合するように前記下側突出部に設けられた雌ねじである請求項２〜４のいずれかに記載の植物育成容器。
【請求項６】
前記固定手段は、前記フレームの端が嵌合するように前記下側突出部に設けられた溝又は孔である請求項２〜４のいずれかに記載の植物育成容器。
【請求項７】
前記固定手段は、前記フレームの端側に前記水平方向および上下方向の少なくとも一方に係合する共に、前記下側突出部に固定される固定片である請求項２〜４のいずれかに記載の植物育成容器。
【請求項８】
前記フレームは、一端及び他端にそれぞれ雄ねじが形成され、前記固定手段は、前記複数の孔のうち一つを上方から下方に向かって通過した前記フレームの一端が螺合するよう
に前記突出部に設けられた雌ねじと、前記複数の孔のうち他の一つを上方から下方に向かって通過した前記フレームの他端が螺合するように前記突出部に設けられた雌ねじとを有する請求項３に記載の植物育成容器。
【発明の詳細な説明】
【技術分野】
【０００１】
本発明は、用土を充填して植物を育てる植物育成容器および植物育成容器に用土を充填して植物を育てる植物育成方法に関する。
【背景技術】
【０００２】
用土を充填して植物を育てる鉢、プランター等の植物育成容器は多種販売されており、畑や庭が無い場合でもベランダ等で植物を育てることが可能である。このような植物育成容器として特許文献１や特許文献２に示されたものが知られている。
【先行技術文献】
【特許文献】
【０００３】
【特許文献１】特開２００１−１６９６７１号公報
【特許文献２】特開平１０−１９１８０４号公報
【発明の概要】
【発明が解決しようとする課題】
【０００４】
しかし、植物育成容器を用いてベランダや軒先等で植物、例えば野菜を育てる場合、畑で育てる場合に比べて成長が遅いことがよくある。特に、春や秋の寒い時期にその差が歴然とすることがある。これは、植物育成容器の場合、畑に比べ用土の体積が小さいために、外気温の低下により地温が下がり易く、また、建物の壁等に遮られて日照時間も畑に比べて短いことが原因として考えられる。
【０００５】
ベランダや軒先等で植物、例えば野菜を育てたいという気持ちが出ても、上記のように植物育成容器での栽培が畑での栽培に大きく劣ることを知っている者や、植物育成容器での栽培に失敗した経験を有する者や、そのような話を周りから聞いている者は、なかなか実行に移さない。又は、実行した場合でも、上記のようにベランダや軒先での環境が畑と比べ劣っていることに起因し、栽培が思うようにいかず、途中で止めてしまう場合もよくある。
【０００６】
一方、上記のようにベランダや軒先等における植物育成容器を用いた栽培環境を改善するため、市販の保温カバー等を植物育成容器に装着する方法もある。しかし、市販の保温カバー等は高価であるにも拘わらず、風雨、日光等により１年程度でカバーに破損が発生する場合もあり、カバーを支持するフレームに破損や曲がりが発生する場合もある。このような事情も植物育成容器での栽培を止める、又は始めない原因となっている。
【０００７】
また、市販の保温カバー、防虫カバー、保湿カバー等は、植物育成容器に充填した用土の上方にトンネルを形成し、トンネル内に配置される植物を保温するものである。しかし、畑と同様の地温の維持まではできていない状況であり、市販の保温カバー、防虫カバー、保湿カバー等でトンネルを形成して野菜を育てても、外気温によってはその成長が畑に劣ることがよくある。
【０００８】
本発明は、このような事情に鑑みてなされたものであって、費用や手間を抑えながら植物の成長速度および／又は成長完了時の成長度合を改善可能な植物育成容器を提供することを目的とする。
【課題を解決するための手段】
【０００９】
上記課題を解決するために、本発明は以下の手段を採用する。
本発明の第１の態様に係る植物育成容器は、底部と、底部の外周部から上方に向かって延びる側壁部とを有し、底部と側壁部とで囲まれる収容部に用土を収容する容器本体と、前記側壁部の外周面から水平方向外側に突出する下側突出部と、前記側壁部の上端部に設けられると共に該上端部を上下方向に貫通する複数の孔であって、保温カバー、保湿カバー、又は防虫カバーのフレームが上下方向に挿通する複数の孔と、前記各孔を挿通した各フレームの端をそれぞれ前記下側突出部に固定する固定手段とを備え、前記下側突出部は、前記側壁部の高さ方向の中央又は中央より下側の前記側壁部の外周面から水平方向外側に向かって突出すると共に、前記側壁部の外周面の全周に亘って連続的に又は間欠的に設けられている。
【００１０】
第１の態様によれば、カバーの各フレームの端側が各孔と固定手段の２点で支持され、また、固定手段によって各フレームの端が固定される下側突出部は側壁部の高さ方向の中央又は中央より下側に設けられ、各孔は側壁部の上端部に設けられ、各孔と固定手段とは上下方向にある程度間隔をおいて配置されている。このため、フレームにフレーム軸と直交する方向の力（フレームを曲げる方向の力）が加わっても、各フレームの端側がある程度離れた２点で支持されているので、フレームに曲がりや破損が発生し難い。また、各フレームの端が１つの孔に差し込まれて支持される場合、風等によりフレームの端が孔から抜ける場合や、フレームに加わる力により孔が変形する場合も考えられるが、各フレームの端側がある程度離れた２点で支持されているので、フレームが容器本体から無用に外れることが防止され、フレームを支える各孔や固定手段の変形や破損も防止される。
【００１１】
さらに、側壁部の高さ方向の中央又は中央より下側の側壁部の外周面から水平方向外側に向かって側壁部の全周に亘って突出する下側突出部が設けられている。このため、容器本体にフレームを取付けた後、保温カバー、保湿カバー、又は防虫カバーとして下方に開口する袋形状のカバーをフレームの上方から被せると共に、下側突出部が全周に亘って覆われる位置までカバーの下側開口部を下方に移動させ、下側開口部を下側突出部に取付けるか、下側開口部を下側突出部の下方で開口が小さくなるように結ぶだけで、カバーを容器本体に装着することができ、このように装着したカバーは位置ずれが起こりにくい。
【００１２】
このようにカバーを装着すると、下側突出部の上方において、カバーと側壁部との間に隙間（空気層）が形成される。この空気層には各フレームの端側が配置されているので、風等によりカバーが側壁部側に押される場合に、各フレームの端側がカバーと側壁部との間の空気層を維持することに役立つ。また、下側突出部は側壁部の中央又は中央より下側に設けられているので、側壁部の広範囲に空気層が形成されることになる。カバーは当然にある程度の透光性があるので、カバーを通過した日光が側壁部に当たり側壁部および容器本体内の用土の温度を上昇させ、一方、外気や風は空気層が設けられた側壁部には直接当たらない。
【００１３】
空気層は良好な断熱性を有するので、上記作用により、容器本体内の用土の温度が日光により上昇し易く、一度上昇した温度を維持することもできる。さらに良いことに、朝や夕方のように太陽の仰角が小さい時に側壁部が日光を受け、それが保温される傾向があるので、朝早くから用土の温度を上昇させることができ、太陽が沈む前にも用土の温度を上昇させて、それを太陽が沈んだ後に暫く維持することができる。
【００１４】
ここで、野菜等の植物の多くは、ある程度の成長度合、例えば本葉が数枚生える頃、茎が太くなり始める頃迄は、ある一定の限られた環境でなければ成長が遅い、又は成長せずに枯れる傾向がある。また、まいた種が発芽し本葉が出始める頃迄は特にその傾向が顕著である。例えば、関東地方で１２月〜２月にプランターに充填した用土に種をまいても、ほとんど発芽せずに、種が腐ってしまう。前記ある一定の限られた環境として、一定温度以上であることや、水分が十分であることや、強い風に当てないこと等がある。
【００１５】
一方、本葉が数枚生える頃や、茎が太くなり始める頃を過ぎると、野菜等の植物の多くは成長が安定し、温度が低い条件が数日続いたり、多少強い風に当たったりしても、植物自体が有する生命力により成長を維持し、植物自体に再度環境が整うのを待つ余裕が出てくる。このように、野菜等の植物の多くにとって、種まき後や、本葉が数枚生える前や、茎が太くなり始める前に、外気温が低い時でも用土の温度を高くすると共に維持し、これにより用土表面近くの空気の温度も高くすると共に維持し、さらにカバーにより風よけをするのは、栽培を成功させる上で大変重要である。
【００１６】
また、日本は四季があり、冬から春にかけては気温が徐々に上がって、秋から冬にかけては気温が徐々に下がっていく。このため、植物の種類に応じて種まきや育成に適した月がある程度決まっており、例えば関東地方でゴーヤを栽培する場合、４月頃に種まきを行い、５月の日光が強くなる時期につるを成長させ、６月の梅雨の時期には日光は少ないが徐々につるを成長させ、７月の梅雨明けの時期から実をつけるようにするのが一つの適した方法であると考える。
【００１７】
ここで、ゴーヤは２５℃程度の温度に数時間達する状況が数日続かないと発芽せず、また、発芽した後に気温が下がると成長が遅くなるか、成長が止まり、良い苗とならない。しかし、４月の関東地方は最高気温が２５℃に達する日が少ない。また、ベランダや軒下は日照時間が短い場合も多く、そのためより発芽や発芽後の成長が良くない。５月になり最高気温が２５℃を超える日が多くなった頃に種を植えると、十分成長しない状態で梅雨に入ってつるを十分に伸ばすことができず、７月以降の収穫量に影響が出る。このように、関東地方で日照時間が限られるベランダや軒下で安定してゴーヤを育成するのは結構難しい状況である。
【００１８】
第１の態様によれば、外気温が低い時でも用土の温度を高くすると共に維持し、これにより用土表面近くの空気の温度も高くすると共に維持し、さらにカバーにより風よけできるので、関東地方で日照時間が限られているベランダや軒下で安定して発芽および発芽後の育成を行うことが可能である。さらに、通常よりも早いタイミングで種まきしても、発芽および発芽後の育成を行うことも可能になるので、早い時期の収獲も可能になる。そして、従来は種まき時期が決まっていることにより、思い立った時には種まきの時期を逸しているという状況が発生し易かったが、種まき可能な期間を長くし、例えば秋まき野菜の時等はかなり寒くなってからでも種まきが可能になるので、思い立った時に栽培を始められるという利点もある。
【００１９】
本発明の第２の態様に係る植物育成容器は、底部と、底部の外周部から上方に向かって延びる側壁部とを有し、底部と側壁部とで囲まれる収容部に用土を収容する容器本体と、保温カバー、保湿カバー、又は防虫カバー用のフレームと、前記側壁部の外周面から水平方向外側に突出する下側突出部と、前記側壁部の上端部に設けられると共に該上端部を上下方向に貫通する複数の孔であって、前記フレームの端側が上下方向に挿通する複数の孔と、前記各孔を挿通した各フレームの端をそれぞれ前記下側突出部に固定する固定手段とを備え、前記下側突出部は、前記側壁部の高さ方向の中央又は中央より下側の前記側壁部の外周面から水平方向外側に向かって突出すると共に、前記側壁部の外周面の全周に亘って連続的に又は間欠的に設けられている。
【００２０】
第２の態様も第１の態様と同様に下側突出部、各孔、および固定手段を有しているので、第１の態様と同様の上記作用を奏する。
【００２１】
本発明の第３の態様に係る植物育成容器は、底部と、底部の外周部から上方に向かって延びる４つの側面壁を有する側壁部とを備え、底部と側壁部とで囲まれる収容部に用土を収容する平面視略長方形の容器本体と、前記長方形の長辺に対応する側壁部の側面壁から水平方向外側に突出する下側突出部と、前記長方形の長編に対応する側面壁の上端部に設けられると共に該上端部を上下方向に貫通する複数の孔であって、保温カバー、保湿カバー、又は防虫カバーのフレームが上下方向に挿通する複数の孔と、前記各孔を挿通した各フレームの端をそれぞれ前記下側突出部に固定する固定手段とを備え、前記下側突出部は、前記長辺に対応する側面壁の高さ方向の中央又は中央より下側の前記側面壁から水平方向外側に向かって突出している。
【００２２】
第３の態様も第１の態様と同様に下側突出部、各孔、および固定手段を有しているので、第１の態様と同様の上記作用を奏する。
【００２３】
本発明の第４の態様に係る植物育成方法は、植物育成容器を用いた植物育成方法であって、前記植物育成容器は、底部と、底部の外周部から上方に向かって延びる側壁部とを有し、底部と側壁部とで囲まれる収容部に用土を収容する容器本体と、保温、保湿、又は防虫目的のカバー用のフレームと、前記側壁部の外周面から水平方向外側に突出する下側突出部と、前記側壁部の上端部に設けられると共に該上端部を上下方向に貫通する複数の孔であって、前記フレームの端側が上下方向に挿通する複数の孔と、前記各孔を挿通した各フレームの端をそれぞれ前記下側突出部に固定する固定手段とを備え、前記下側突出部は、前記側壁部の高さ方向の中央又は中央より下側の前記側壁部の外周面から水平方向外側に向かって突出すると共に、前記側壁部の外周面の全周又は略全周に亘って設けられており、この方法は、前記各孔を挿通した前記各フレームの端をそれぞれ前記下側突出部に前記固定手段により固定するフレーム固定ステップと、下方に開口する形状のカバーを前記フレームが固定手段により固定された容器本体に上方から被せるカバー装着ステップとを有し、前記カバー装着ステップでは、前記カバーによって前記下側突出部の外周の少なくとも上端側が全周に亘って覆われるように、前記カバーを前記容器本体に被せるようにしている。
【００２４】
第４の態様も、各孔を挿通した各フレームの端をそれぞれ下側突出部に固定手段により固定し、下方に開口する形状のカバーをフレームが固定手段により固定された容器本体に上方から被せ、この時、カバーによって下側突出部の少なくとも上端側が全周に亘って覆われるようにカバーを容器本体に被せるので、第１の態様で説明した作用と同様の作用を奏する。
【発明の効果】
【００２５】
本発明によれば、フレームの曲がりや破損が防止され、フレームが容器本体から無用に外れることが防止され、フレームを支える各孔や固定手段の変形や破損も防止されるので、一度購入した容器本体やフレームを長く使用することができ、フレーム等を再購入する費用や、外れたフレームを元に戻す手間等を少なくすることができる。さらに、フレームの曲がりや破損を防止することにより、カバーの位置ずれや、カバーの破損も抑制することができ、さらに、上記のように下側突出部まで覆うカバーは位置ずれが生じ難いので、位置ずれや破損の対応の手間や費用も少なくすることができる。
【００２６】
また、透光性を有するカバーと、カバーと側壁部との間の空気層とにより、用土の温度を上昇させ、その温度を維持することができるので、植物の成長速度および／又は成長完了時の成長度合を改善することができる。
【図面の簡単な説明】
【００２７】
【図１】本発明の第１の実施形態に係る植物育成容器の使用状態説明図である。
【図２】第１の実施形態に係る植物育成容器の正面図である。背面図は正面図と同一にあらわれるため省略する。
【図３】第１の実施形態に係る植物育成容器の左側面図である。右側面図は左側面図と同一にあらわれるため省略する。
【図４】第１の実施形態に係る植物育成容器の平面図である。
【図５】第１の実施形態に係る植物育成容器の底面図である。
【図６】マルチを装着した状態の第１の実施形態に係る植物育成容器の平面図である。
【図７】マルチを装着した状態の第１の実施形態に係る植物育成容器の長手方向断面図である。
【図８】第１の実施形態に係る植物育成容器の図４におけるＸ−Ｘ矢視方向断面図である。
【図９】本発明の第２の実施形態に係る植物育成容器の図１２におけるＹ−Ｙ矢視方向断面図である。
【図１０】第２の実施形態に係る植物育成容器の正面図である。右側面図および左側面図は正面図と同一にあらわれるため省略する。
【図１１】第２の実施形態に係る植物育成容器の背面図である。
【図１２】第２の実施形態に係る植物育成容器の平面図である。
【図１３】第２の実施形態に係る植物育成容器の底面図である。
【図１４】第２の実施形態に係る植物育成容器の使用状態説明図である。
【図１５】第２の実施形態に係る植物育成容器の第１変形例を示す下側突出部の要部平面図である。
【図１６】図１５におけるＺ−Ｚ矢視方向断面図である。
【図１７】第２の実施形態に係る植物育成容器の第１変形例を示すフレームの要部正面図である。
【図１８】第２の実施形態に係る植物育成容器の第２変形例を示す下側突出部の要部平面図である。
【図１９】第２の実施形態に係る植物育成容器の変形例の底面図である。
【図２０】図２において、外観的に特に特徴のある部分を実線であらわし、その他の部分を破線であらわしたものである。
【図２１】図３において、外観的に特に特徴のある部分を実線であらわし、その他の部分を破線であらわしたものである。
【図２２】図４において、外観的に特に特徴のある部分を実線であらわし、その他の部分を破線であらわしたものである。
【図２３】図５において、外観的に特に特徴のある部分を実線であらわし、その他の部分を破線であらわしたものである。
【図２４】図８において、外観的に特に特徴のある部分を実線であらわし、その他の部分を破線であらわしたものである。
【図２５】図９において、外観的に特に特徴のある部分を実線であらわし、その他の部分を破線であらわしたものである。
【図２６】図１０において、外観的に特に特徴のある部分を実線であらわし、その他の部分を破線であらわしたものである。
【図２７】図１１において、外観的に特に特徴のある部分を実線であらわし、その他の部分を破線であらわしたものである。
【図２８】図１２において、外観的に特に特徴のある部分を実線であらわし、その他の部分を破線であらわしたものである。
【図２９】図１３において、外観的に特に特徴のある部分を実線であらわし、その他の部分を破線であらわしたものである。
【図３０】実験結果に関する表である。
【図３１】各鉢の小松菜の本葉の長さを測定した結果を示す表である。
【図３２】２０１６年１月１７日の実施例の小松菜の様子を示す写真である。
【図３３】２０１６年１月１７日の比較例１の小松菜の様子を示す写真である。
【図３４】２０１６年１月１７日の比較例２の小松菜の様子を示す写真である。
【図３５】実施例においてカバー４０で覆った様子を示す写真である。
【図３６】比較例１においてカバー４０で覆った様子を示す写真である。
【発明を実施するための形態】
【００２８】
本発明の実施形態に係る植物育成容器について図面を参照して以下に説明する。
本発明の第１の実施形態に係る植物育成容器は、図１〜８に示すように、底部１１と、底部１１の外周部から上方に向かって延びる側壁部１２とを有し、底部１１と側壁部１２とで囲まれる収容部１３に用土Ｓを収容する容器本体１０と、保温、保湿、又は防虫等の目的のカバー用の１つ又は複数（本実施形態では３本）のフレーム２０と、側壁部１２の上端部から水平方向外側に向かって突出する上側突出部１２ａと、上側突出部１２ａに設けられると共に上側突出部１２ａを上下方向に貫通する複数の孔１２ｂと、側壁部１２の外周面から水平方向外側に突出する下側突出部１２ｃと、前記各孔１２ｂを挿通したフレーム２０の端をそれぞれ下側突出部１２ｃに固定する固定構造とを備えている。上側突出部１２ａは側壁部１２の上端部の一部を形成している。上側突出部１２ａは必ずしも側壁部１２の最上端と同じ高さに位置する必要は無く、上側突出部１２ａの上面が当該最上端から２〜３ｃｍ程度、又は３〜５ｃｍ程度下方に配置されていても、上側突出部１２ａは側壁部１２の上端部の一部を形成するものとする。
【００２９】
この植物育成容器は平面視で略長方形であり、このため、４つの側面壁により側壁部１２が形成されている。
本実施形態では、容器本体１０の下端側である側壁部１２の下端の１箇所又は複数個所に排水孔１２ｅが形成され、排水孔１２ｅはプラスチック製の栓やゴム製の栓（図示せず）によって開閉可能に構成されている。排水孔１２ｅを底部１１に設けることも可能である。栓が無い構成とすることも可能であり、排水孔を他の公知の構成とすることも可能である。
【００３０】
下側突出部１２ｃは、図３のように、側壁部１２の下端から見て、側壁部１２の高さの２０％の位置よりも下側の側壁部１２の外周面から水平方向外側に向かって突出し、側壁部１２の外周面の全周に亘って設けられている。
本実施形態では、容器本体１０はプラスチック製であり、上側突出部１２ａと下側突出部１２ｃとの間の側壁部１２は、収容部１２に収容する用土Ｓと外部の空気とを仕切る実質１枚の板であり、模様等の他に当該側壁から突出する構成を極力有しないことが好ましい。上側突出部１２ａと下側突出部１２ｃとの間の側壁部１２の８０％以上の面積、より好ましくは９０％以上の面積で、前記側壁から突出する構成を有しないことが好ましい。
【００３１】
ここで、例えば下側突出部１２ｃが斜め下方や斜め上方に向かって側壁部１２から外側に延びているとしても、水平方向外側に突出している事には変わりはないので、前記のように水平方向外側に向かって突出していることになる。また、例えば下側突出部１２ｃが側壁部１２の外周面に沿って上方又は下方に向かって延びた後に、斜め下方や斜め上方に向かって外側に延び、その後に再び上方や下方に向かって延びているとしても、水平方向外側に突出している事に変わりはないので、前記のように水平方向外側に向かって突出していることになる。
【００３２】
下側突出部１２ｃの外周長は、市販のビニール袋の開口部周長と同等に、又はそれより少し短く（例えば１〜３ｃｍ程度短く）形成されている。例えば、市販の４５Ｌの透明又は半透明のビニール袋に合せる場合、当該ビニール袋のサイズは６５ｃｍ×８０ｃｍで開口部の周長は１３０ｃｍなので、下側突出部１２ｃの外周長は１３０ｃｍ程度又は１２７〜１２９ｃｍ程度に形成される。市販されている他の規格サイズのビニール袋の開口部周長と同等に、又はそれより少し短く（例えば１〜３ｃｍ程度短く）形成することも可能である。本実施形態では、市販の３０Ｌの透明又は半透明のビニール（５０ｃｍ×７０ｃｍ）をカバー４０として使用し、下側突出部１２ｃの外周長は９８〜９９ｃｍ程度に形成されている。
【００３３】
本実施形態では、上側突出部１２ａの外周長は、下側突出部１２ｃの外周長と同等又はそれより少し短く形成されている。
下側突出部１２ｃには固定構造として複数の雌ねじ孔１２ｄが設けられ、平面視において、各雌ねじ孔１２ｄは上側突出部１２ａに設けられた各孔１２ｂに略対応した位置に配置されている。
フレーム２０はプラスチック製の棒であり、その両端に雄ねじ２０ａが形成されている。フレーム２０は可撓性、および曲げに抗する復元力を発生する弾性を有することが望ましく、プラスチック、硬質ゴム、カーボンファイバー等の材質から成る。なお、金属製とすることも可能である。
【００３４】
上記のように構成された植物育成容器を使用する場合について以下説明する。
先ず、図１および７のように、容器本体１０の収容部１３の底部に１〜３ｍｍ程度の細かな目のプラスチック製の網５１を配置する。この時、収容部１３の底部に底上げ用のプラスチック片５２を配置し、網５１を収容部１３の底部から浮かすことが好ましい。
続いて、収容部１３内に肥料入りの用土Ｓを側壁部１２の最上端とほぼ同じ高さ位置まで充填し、用土Ｓの上にマルチ５３を被せる。マルチ５３は黒色等のビニール袋であれば何でも良い。そして、マルチ５３の種をまく位置に育成用開口５３ａを形成し、育成用開口５３ａの近傍に水及び肥料供給用開口５３ｂを形成する。そして、育成用開口５３ａの位置の用土に種をまき、水及び肥料供給用開口５３ｂから水を供給する。水及び肥料供給用開口５３ｂの位置の用土に図７のように凹部を設けておくと、水及び肥料を供給し易い。なお、網５１、プラスチック片５２、およびマルチ５３は有っても無くても良い。
【００３５】
一方、３本のフレーム２０の端をそれぞれ雌ねじ孔１２ｄに固定する。このために、１本目のフレーム２０の一端側を上側突出部１２ａの孔１２ｂに上方から下方に向かって通過させると共に、該一端に形成された雄ねじ２０ａを対応する雌ねじ孔１２ｄに螺合する。この時、必要十分な螺合位置を超えて螺合させておく。次に、当該１本目のフレーム２０の他端側を上側突出部１２ａの他の孔１２ｂに上方から下方に向かって通過させると共に、該他端に形成された雄ねじ２０ａを対応する雌ねじ孔１２ｄに螺合する。この他端の螺合の際、一端側の雄ねじ２０ａも抜ける方向に回るが、上記のように必要十分な螺合位置を超えて螺合させてあるので、一端側の雄ねじ２０ａが対応する雌ねじ孔１２ｄから抜けることはない。これを他２本のフレーム２０についても行う。
【００３６】
続いて、前述の市販の３０Ｌのビニール袋であるカバー４０をフレーム２０が固定された容器本体１０に上方から被せる。この時、カバー４０の下端側（開口側）によって下側突出部１２ｃの外周の少なくとも上端側が全周に亘って覆われるように、カバー４０を容器本体１０に被せる。
【００３７】
この時、カバー４０の開口部側をクリップ等の固定部材により下側突出部１２ｃに取付ける処置、カバー４０の開口部を下側突出部１２ｃの下側で結ぶことにより当該開口部の開口径を小さくする処置等の簡単な処置により、カバー４０の開口部側が下側突出部１２ｃから外れないようにすることができる。
または、カバー４０の下端が下側突出部１２ｃを超えて数ｃｍ以上下方に位置するように、カバー４０を容器本体１０に被せるだけで、カバー４０が上側突出部１２ａ、下側突出部１２ｃ、および各フレーム２０の端側に接触し、さらに下側突出部１２ｃの下側に配置されるカバー４０の開口部は自然に萎んだり撓んだりするので、前記固定部材の取付けや前記結ぶ作業を行わなくても、カバー４０の開口部側を下側突出部１２ｃから外れないようにすることができる。
【００３８】
本実施形態によれば、各フレームの端側が各孔１２ｂと各雌ねじ孔１２ｄの２点で支持され、また、各雌ねじ孔１２ｄによって各フレームの端が固定される下側突出部１２ｃは、側壁部１２の下端から見て、側壁部１２の高さの２０％の位置よりも下側の側壁部１２の外周面から水平方向外側に向かって突出し、各孔１２ｂは側壁部１２の上端部に設けられ、各孔１２ｂと各雌ねじ孔１２ｄとは上下方向にある程度間隔をおいて配置されている。このため、フレーム２０にその軸と直交する方向の力（フレーム２０を曲げる方向の力）が加わっても、各フレームの端側がある程度離れた２点で支持されているので、フレーム２０に曲がりや破損が発生し難い。また、各フレームの端が１つの孔に差し込まれて支持される構造では、風等によりフレームの端が孔から抜ける場合や、フレームに加わる力により孔が変形する場合も考えられるが、各フレームの端側がある程度離れた２点で支持されているので、フレーム２０が容器本体１０から無用に外れることが防止され、フレーム２０を支える各孔１２ｂや各雌ねじ孔１２ｄの変形や破損も防止される。
【００３９】
さらに、側壁部１２の下端から見て、側壁部１２の高さの２０％の位置よりも下側の側壁部１２の外周面から水平方向外側に向かって下側突出部１２ｃが突出している。このため、容器本体１０にフレーム２０を取付けた後、保温カバー、保湿カバー、又は防虫カバーとして下方に開口する袋形状のカバー４０をフレーム２０の上方から被せると共に、下側突出部１２ｃが全周に亘って覆われる位置までカバー４０の下側開口部を下方に移動させ、下側開口部を下側突出部１２ｃに取付けるか、下側開口部を下側突出部１２ｃの下方で開口が小さくなるように結ぶだけで、カバー４０を容器本体１０に装着することができ、このように装着したカバー４０は位置ずれが起こりにくい。
【００４０】
このようにカバー４０を装着すると、下側突出部１２ｃの上方において、カバー４０と側壁部１２との間に隙間（空気層）が形成される。この空気層には各フレームの端側が配置されているので、風等によりカバー４０が側壁部１２側に押される場合に、各フレームの端側がカバー４０と側壁部１２との間の空気層を維持することに役立つ。また、下側突出部１２ｃは側壁部１２の高さの２０％の位置よりも下側の側壁部１２の外周面から水平方向外側に向かって延びているので、側壁部１２の広範囲に空気層が形成されることになる。カバー４０は当然にある程度の透光性があるので、カバー４０を通過した日光が側壁部１２に当たり側壁部１２および容器本体１０内の用土の温度を上昇させ、一方、外気や風は空気層が設けられた側壁部１２には直接当たらない。
【００４１】
空気層は良好な断熱性を有するので、上記作用により、容器本体１０内の用土の温度が日光により上昇し易く、一度上昇した温度を維持することもできる。さらに良いことに、朝や夕方のように太陽の仰角が小さい時に側壁部１０が日光を受け、それが保温される傾向があるので、朝早くから用土の温度を上昇させることができ、太陽が沈む前にも用土の温度を上昇させて、それを太陽が沈んだ後に暫く維持することができる。
【００４２】
本実施形態では、側壁部１２の下端から見て、側壁部１２の高さの２０％の位置よりも下側の側壁部１２の外周面から水平方向外側に向かって下側突出部１２ｃが突出しているが、側壁部１２の中央又は中央より下側の側壁部の外周面から水平方向外側に向かって突出するように下側突出部１２ｃを形成しても、上記と同様の作用効果を奏する。
なお、上側突出部１２ａにより側壁部１２に向かう日光が遮られることを考慮すると、下側突出部１２ｃを、側壁部１２の高さの３５％の位置よりも下側の側壁部１２の外周面から水平方向外側に向かって延びるように形成することが実質的に有効である。さらに、下側突出部１２ｃを、側壁部１２の高さの２０％の位置よりも下側の側壁部１２の外周面から水平方向外側に向かって延びるように形成すると、様々な日照条件に対応することができるので、実質的により有利である。
【００４３】
また、本実施形態では、カバー４０として市販の透明又は半透明の袋を簡単に利用することができる。市販の袋は１個当たりの価格が極めて安価であるため、破損等が生じた際に新品に交換しても、その費用は極めて限られている。また、季節や気温に応じて上側突出部１２ａよりも上方のカバー４０に適宜孔をあけることにより、風通しやカバー４０内の温度を容易に調整することができ、その孔の数や位置を任意に設定することができ、さらに失敗した場合や気温が変化した場合に新たなカバー４０に費用をかけずに交換することができる。
【００４４】
例えば、種まきは、種に光が届くように地表から数ｍｍや１ｃｍ程度の所に種をまき、その発芽率を良くするためには、種の近傍の温度を所定温度以上とし、種の近傍の水分を維持し、種に光が届くようにする必要がある。プランター等に直まきする場合は、地表が乾かないように、また、地表に冷たい風が当たらないように、水分を含んだ新聞紙や不織布等で地表を覆い、種の近傍の水分を維持すること等が、植物栽培を指南する本等で推奨されている場合もある。しかし、新聞紙や不織布は風で飛びやすく、実際はうまくいかない事が多い。また、不織布や新聞紙は光を遮る。一方、温度と湿度を電力等を用いて維持する育苗器を用いることも考えられるが、育苗器は高価であり、発芽およびその後の短期間だけ用いる機器であるにも拘わらず場所を取る。
【００４５】
本実施形態では、地温を上げ維持することができる。また、簡単にカバー４０を着脱でき、カバー４０にあける通気孔を少なくすることにより、良好に風をよけ、地表が乾かないようにすることができ、また、外気温に対しカバー４０内の温度をかなり高くすることもできる。２月下旬から３月上旬等の寒い時期でも地温や雰囲気温度を２５℃以上にすることも可能である。このように、新聞紙等で地表を覆わなくても保湿できるので、種に光が届きやすい。加えて、上側突出部１２ａよりも下には通気孔をあけないようにすると、空気層の保温性能を向上することができる。通気孔の位置、量、大きさは季節や気温に応じて適宜変更することができる。このため、寒い時期や、日照量が少ない場所でも、良好に発芽させることができる。
【００４６】
発芽後、ある程度の成長度合、例えば本葉が数枚生える成長度合や、茎が太くなり始める成長度合まで、カバー４０の通気孔の数、位置、大きさを適宜調整し、高い地温、風よけ、保湿等を行いながら、成長を促進することも可能である。これにより、早期に安定成長に移行させることができる。
【００４７】
また、本実施形態では、フレーム２０の一端側および他端側のそれぞれを孔１２ｂと雌ねじ孔１２ｄの２点で支持している。また、フレーム２０は曲げに抗する復元力を有する。このため、一端側および他端側のそれぞれが孔１２ｂと雌ねじ孔１２ｄの２点で支持されたフレーム２０は、図１に示すように、上側突出部１２ａの上方で水平方向外側に向かって膨らむ（図１の矢印Ａの方向に膨らむ）。この時、各孔１２ｂはフレーム２０の端側が挿通するように形成されているので、各孔１２ｂ内でフレーム２０がこじり方向に変位することができる。このため、各孔１２ｂと各雌ねじ孔１２ｄの間の各フレームの端側が水平方向内側に向かって撓む（図１の矢印Ｂの方向に撓む）。この撓みにより上側突出部１２ａの上方でフレーム２０が矢印Ａの方向により膨らみ易くなる。この膨らみは植物が延びるスペースを形成する。多くの植物は上方に延びるにつれて幅方向に拡がる傾向があるので、この膨らみにより植物が十分に成長することができるようになる。
【００４８】
１本のフレーム２０の両端を雌ねじ孔１２ｄに固定するのではなく、２本のフレーム２０の下端をそれぞれ雌ねじ孔１２ｄに固定し、２本のフレーム２０の上端側をその軸が互いに平行になるように接続しても、上記と同様に矢印Ａの膨らみと矢印Ｂの撓みが生ずる。
【００４９】
また、本実施形態では、フレーム２０の端の雄ねじ２０ａを下側突出部１２ｃの雌ねじ孔１２ｄに螺合することにより、フレーム２０を容器本体１０に固定できるので、フレーム２０の着脱が極めて容易でありながら、フレーム２０が風等で無用に外れないように確実に固定することができる。また、着脱も容易であり、取外した後に場所を取らない。
【００５０】
本発明の第２の実施形態に係る植物育成容器は、図９〜１４に示すように、平面視で略長方形の第１の実施形態に係る植物育成容器に対し、平面視が略丸形状である点を除き、第１の実施形態に係る植物育成容器と同様の構成を有すると共に、同様の作用効果を奏する。このため、本実施形態の詳細な説明は省き、第１の実施形態と同様の構成部分には同一の符号を付して示す。
【００５１】
なお、第１および第２の実施形態と異なる固定構造を用いることも可能である。例えば、図１５〜１７に示すように、下側突出部１２ｃにその外周部から内側に延びる溝１２ｆを設け、フレーム２０の端側に小径部２０ｂを設け、小径部２０ｂが溝１２ｆと係合するように構成しても良い。この場合、小径部２０ｂの外径を溝１２ｆの最大幅に対し同等に、又は少し小さく形成すると、フレーム２０の軸方向の移動が規制される。また、図１５に示すように、溝１２ｆ内に幅が広い幅広部と幅が狭い幅狭部が容器本体１０の外側から内側に向かって交互にあらわれるようにすると、フレーム２０の端の固定位置を水平方向に調整できる。または、フレーム２０の端に小径部２０ｂを設けず、フレーム２０の端を単に下側突出部１２ｃに設けた孔や溝１２ｆに嵌合するだけの構造とすることも可能である。
【００５２】
または、図１８に示すように、下側突出部１２ｃやフレーム２０と別部材の先割れ部５０ａを有する固定片としてのクリップ５０によって、フレーム２０の端を下側突出部１２ｃに固定することも可能である。クリップ５０は周知のターンクリップ（ダブルクリップとも称される）の先端に先割れ部５０ａを形成したものである。フレーム２０の端は先割れ部５０ａに水平方向や上下方向に係合し、フレーム２０の端が下側突出部１２ｃに固定される。この時、フレーム２０の端側に小径部２０ｂがあると、より確実に固定される。クリップ５０の他の固定片により固定することも可能である。
【００５３】
または、フレーム２０の端側に固定片を固定し、固定片を下側突出部１２ｃに固定することにより、フレーム２０の端を下側突出部１２ｃに固定することも可能である。この場合でも、固定片はフレーム２０の端側に水平方向および上下方向に係合していると言える。
その他の公知の手段によりフレーム２０の端を下側突出部１２ｃに固定することも可能である。
【００５４】
なお、第１の実施形態では、平面視略長方形の容器本体１０の側面部１２の４つの側面壁の全てに下側突出部が設けられているものを示した。ここで、平面視略長方形の容器本体１０の場合、特にその長辺が短辺の１．５培以上の長さを有する場合、長辺部を構成する側面壁のみに下側突出部を設けても良い。この場合でも、長編部を構成する側面壁の面積が大きいので、この範囲に日光が当たるように容器本体を配置することにより、上記空気層等の効果が得られる。
【００５５】
また、第１および第２の実施形態では、下側突出部１２ｃが側面部１２の全周に亘って連続的に設けられるものを示した。これに対し、上記空気層が形成されるように側面部１２の外周面に下側突出部１２ｃを設ける場合でも、上記と同様の効果を得ることができる。このような場合は、下側突出部１２ｄが側面部１２の略全周に亘って設けられているものとする。例えば、図１９のように、下側突出部１２ｄを側面部１２の略全周に亘って間欠に設けることも可能である。図１９は、特徴が分かり易くなるように、上側突出部１２ａが記載されていない。この場合でも、カバー４０の開口部近傍で下側突出部１２ｄ同士の隙間が軽く閉鎖されるので、上記空気層が形成され、その空気層が各フレームの端側によって維持されるので、上記実施形態と同様の作用効果を奏する。
【００５６】
上記各実施形態において、フレーム２０同士を別のフレーム、紐等の接続部材で接続することも可能であり、また、フレームとして、複数のフレーム２０が元々接続部材で恒久的に接続されたものを使用することも可能であり、これらの場合でも前述と同様の作用効果を奏する。
また、上記各実施形態において、カバー４０を、１ｍｍ以下の細かな穴を周知の防虫ネットを下方が開口する袋状に形成したものや、下方が開口する袋状に形成された不織布や、その他の公知のカバーに置き換えることも可能であり、この場合でも前述と同様の作用効果を奏し得る。
また、上記各実施形態において、底部１１の上面を排水孔１２ｅに向かって下り傾斜をなすように形成することも可能である。
また、日光による温度上昇と空気層による保温効果をより効率的に得るため、容器本体１０を黒、青、茶等の色に形成することも有効である。一方、上側突出部１２ａと下側突出部１２ｃとの間のカバー４０に大き目の孔を多数あけるだけで、季節等により空気層の保温効果を弱めることもできる。また、上側突出部１２ａと下側突出部１２ｃとの間に遮光性のカバーを装着すれば、その範囲の容器本体は光を受けなくなり温度上昇が防止され、空気層が存在するので、温度上昇の防止も効果的に行うことができる。
【００５７】
なお、上記各実施形態および各変形例において、用土Ｓを側壁部１２の最上端の位置まで充填し、用土Ｓの上面をマルチ５３で覆うと共に各開口５３ａ，５３ｂをあけ、容器本体１０の下端側に栓で開閉される排水孔１２ｅがある場合に水やりする場合、先ず、排水孔１２ｅを栓で閉鎖した状態で、開口５３ｂから用土全体に水が行きわたるまで入れる。開口５３ａの位置の用土Ｓに水が少し浮くまで入れても良い。これにより、開口５３ａの位置の種がまかれた用土Ｓを荒らさずに、用土全体に水を行きわたらせることができる。また、無用に多くの水を使わなくて済む。そして、暫く置いた後に栓を抜き、排水穴１２ｅから排水を行う。この時、夏場の暑い時期は、全て排水するのではなく、排水途中で栓で排水孔１２ｅを閉じても良い。このように側壁部１２の最上端の位置まで用土Ｓを充填しても、マルチ５３で覆っているので、用土Ｓを荒らさずに最小限の水で水やりでき、用土Ｓがこぼれることは殆どない。この構成を用いると、容器本体１０の高さ寸法を小さくすることができ、水を節約でき、しかも種の発芽やその後の育成をコントロールし易い。
【００５８】
アップルウェアー（登録商標）株式会社製の平面視が円形のプラスチック製の鉢（７号鉢；φ215×152および土容量が２．７Ｌと表示されたもの）を用いて、下記実験を行った。当該鉢には上側突出部１２ａが元々形成されている。上側突出部１２ａは鉢側面から約２０ｍｍ程度径方向外側に突出している。
【００５９】
実験例は、当該鉢に外径が約２４５ｍｍであり、厚さが約１０ｍｍである発泡プラスチック製のクリーム色の下側突出部１２ｃを取付けた。また、上側突出部１２ａには周方向に間隔をおいて４つの孔１２ｂを設けた。下側突出部１２ｃにも上側突出部１２ａの穴１２ｂに対応した位置にそれぞれ孔１２ｄを設けた。この実験例では、下側突出部１２ｃの孔１２ｄは雄ねじ孔ではなく単なる貫通孔となっている。
この実験例では、下側突出部１２ｃは当該鉢の高さ方向の下から２０％程度の位置に取付けられている。
【００６０】
また、当該鉢に花ごころ（登録商標）社製のわたしの野菜の土をすり切り一杯まで充填し、その用土の上を黒色等のビニール袋から成るマルチ５３で覆い、マルチ５３に育成用開口５３ａと水及び肥料供給用開口５３ｂを形成した。また、水及び肥料供給用開口５３ｂの位置の用土に図７のように凹部を設けた。
また、本実験例ではフレーム２０として針金を用いた。２本の針金を用意し、先ず、一方の針金の一端側をある１つの孔１２ｂに上方から下方に向かって挿通させて対応する下側突出部１２ｃの孔１２ｄに固定した。この際、針金の一端側を曲げ、例えば孔１２ｄに巻き付けることにより、針金の一端側を孔１２ｄに固定する。また、当該針金の他端側を対角位置に配置された孔１２ｂに上方から下方に向かって挿通させて対応する下側突出部１２ｃの孔１２ｄに同様に固定した。他方の針金も同様に固定した。
【００６１】
そして、市販の３０Ｌの透明なビニール袋であるカバー４０をフレーム２０が固定された当該鉢に上方から被せた。この時、カバー４０の下端側（開口側）によって下側突出部１２ｃが全周に亘って覆われるように、カバー４０を容器本体１０に被せ、カバー４０の下端側（開口側）を複数の洗濯バサミによって下側突出部１２ｃに固定した。
今回、市販の３０Ｌのビニール袋の下端側（開口側）の内径が上側突出部１２ａや下側突出部１２ｃの外径に比べかなり大きかったため、当該ビニール袋の周方向の一部を切除すると共に、当該ビニール袋の切断された部分を黒のビニールテープで接続することにより、当該ビニール袋の下端側（開口側）の内径を上側突出部１２ａや下側突出部１２ｃの外径より若干大きくなるよう設定した。
【００６２】
比較例１では、当該鉢に下側突出部１２ｃを取付けずに、当該鉢に花ごころ社製のわたしの野菜の土をすり切り一杯まで充填し、その用土の上を黒色等のビニール袋から成るマルチ５３で覆い、マルチ５３に育成用開口５３ａと水及び肥料供給用開口５３ｂを形成した。また、水及び肥料供給用開口５３ｂの位置の用土に図７のように凹部を設けた。
その後、マルチ５３と用土に挿通するように複数本のフレームを用土に立て、市販の３０Ｌの透明なビニール袋であるカバー４０をフレーム２０が固定された当該鉢に上方から被せた。この時、ビニール袋の下端に縦に切込みを入れ、当該切込みで分離された２箇所を上側突出部１２ａの下側で結ぶことにより、カバー４０を当該鉢に固定した。
【００６３】
比較例２では、当該鉢に下側突出部１２ｃを取付けずに、当該鉢に花ごころ社製のわたしの野菜の土をすり切り一杯まで充填し、その用土の上を黒色等のビニール袋から成るマルチ５３で覆い、マルチ５３に育成用開口５３ａと水及び肥料供給用開口５３ｂを形成した。また、水及び肥料供給用開口５３ｂの位置の用土に図７のように凹部を設けた。比較例２では、カバー４０を用いなかった。
【００６４】
実施例、比較例１、および比較例２の用土にトーホク社製の小松菜の種（各鉢に対し同じもの）を１０〜２０粒ずつまき、９時頃〜１４時頃まで日光があたるベランダにこれらの鉢を配置した。種まき時に各鉢の用土にたっぷりと水をかけ、その後、１週間半〜２週間前後に１度ずつ約同量の水を各鉢の用土にかけた。
なお、実施例のカバー４０は、上記のようにビニール袋を切断した後に黒のビニールテープで接続しているので、その隙間を介してカバー４０の内外の空気が入れ替えられる。実施例と同等の空気の入れ替えが行われるように、比較例１のカバー４０には切込みを入れた。
【００６５】
種まきを２０１５年１２月７日に行ってから２０１６年１月１６日迄の天候状況、９時〜１４時の間における日照時間、気温、各鉢の発芽を確認した日を図３０に示す。なお、ここで発芽を確認した日とは、双葉が土から完全に立上ると共に完全に開いた状態になった日を言う。
１２月９日に種まきをした後に、１２月１０、１１、１３、１４、および１５日と日照時間が短い日が続いたため、発芽が少し遅れたものと思われる。また、実施例と比較例１の双葉が完全に開いた日を確認したのは同日であるが、これも、１２月９日に種まきをした後に、１２月１０、１１、１３、１４、および１５日と日照時間が短い日が続いたためであると考えている。
【００６６】
また、２０１６年１月１７日に各鉢の小松菜の本葉の長さを測定した結果を図３１に示す。当該測定では、最も長いものから３つずつ測定を行い、平均値を得た。結果を見ると、実施例は比較例１に対し優位に本葉が長くなっていることがわかる。なお、図３２は２０１６年１月１７日の実施例の小松菜の様子を示す写真であり、図３３は２０１６年１月１７日の比較例１の小松菜の様子を示す写真であり、図３４は２０１６年１月１７日の比較例２の小松菜の様子を示す写真である。実施例と比較例１の写真の比較からわかるように、比較例１の本葉は実施例の本葉に比べ葉の面積が明らかに小さく、この点でも実施例は比較例１に対し成長がはやいと言える。
【００６７】
なお、２０１４年の１２月から２０１５年の２月に同じ小松菜を同様の方法で栽培した際、種まき後４０日程度の時期には、本葉は前記実施例と同様の大きさであったが、種蒔き後６０〜８０日後には十分な大きさに成長をしていたため、実施例の小松菜もあと２０〜４０日程度で十分な大きさに成長すると思われる。
さらに、２０１５年１２月９日という十分に寒くなった時期に種まきをしたので、実施例、比較例１および比較例２に害虫はつかなかった。このように、寒い時期は害虫の被害を受け難いという利点がある。
【００６８】
図３５は実施例においてカバー４０で覆った様子を示す写真である。このように、フレーム２０が上側突出部１２ａの孔１２ｂおよび下側突出部１２ｃの孔１２ｄによって支持されるので、針金のようなフレーム２０であっても簡単に且つしっかりと固定される。また、固定のために用土にフレーム２０を挿し込む必要が無いので、フレーム２０によって用土が荒れることが無い。実施例ではフレーム２０として針金を使用したので、安価にフレーム２０を作成することができる。さらに、針金は形状を自由に変えることができるので、育てる植物に応じて用土の上のスペースを拡げることができる。実施例では小松菜の本葉が横に拡がるスペースを確保するため、上側突出部１２ａの上方のフレーム２０が上側突出部１２ａよりも径方向外側に配置されるようにフレーム２０を湾曲させている。一方、図３６は比較例１においてカバー４０で覆った様子を示す写真である。
【００６９】
上記のように、孔１２ｂと孔１２ｄによりフレーム２０が簡単且つ確実に固定されるので、上側突出部１２ａと下側突出部１２ｃとの間のスペースに他の部材を設けることも容易になる。例えば、上側突出部１２ａと下側突出部１２ｃとの間のスペースに断熱材、スペーサー、保温部材、発熱部材等を入れることも容易となる。例えば、複数の小さな空気袋を有する周知の透明なエアークッション、周知の発泡材、発泡材から成る周知の網目状の緩衝材、黒色のゴム発泡材から成る網目状の緩衝材を入れることができる。これらを入れると、風の強い時等の地温の維持に貢献する。
【符号の説明】
【００７０】
１０  容器本体
１２  側壁部
１２ａ  上側突出部
１２ｂ  孔
１２ｃ  下側突出部
１２ｄ  雌ねじ孔
２０  フレーム
２０ａ  雄ねじ
４０  カバー
５３  マルチ
【図１】
0006781882.tif 000002
【図２】
0006781882.tif 000003
【図３】
0006781882.tif 000004
【図４】
0006781882.tif 000005
【図５】
0006781882.tif 000006
【図６】
0006781882.tif 000007
【図７】
0006781882.tif 000008
【図８】
0006781882.tif 000009
【図９】
0006781882.tif 000010
【図１０】
0006781882.tif 000011
【図１１】
0006781882.tif 000012
【図１２】
0006781882.tif 000013
【図１３】
0006781882.tif 000014
【図１４】
0006781882.tif 000015
【図１５】
0006781882.tif 000016
【図１６】
0006781882.tif 000017
【図１７】
0006781882.tif 000018
【図１８】
0006781882.tif 000019
【図１９】
0006781882.tif 000020
【図２０】
0006781882.tif 000021
【図２１】
0006781882.tif 000022
【図２２】
0006781882.tif 000023
【図２３】
0006781882.tif 000024
【図２４】
0006781882.tif 000025
【図２５】
0006781882.tif 000026
【図２６】
0006781882.tif 000027
【図２７】
0006781882.tif 000028
【図２８】
0006781882.tif 000029
【図２９】
0006781882.tif 000030
【図３０】
0006781882.tif 000031
【図３１】
0006781882.tif 000032
【図３２】
0006781882.tif 000033
【図３３】
0006781882.tif 000034
【図３４】
0006781882.tif 000035
【図３５】
0006781882.tif 000036
【図３６】
0006781882.tif 000037